(57)【要約】【課題】起泡力及び耐硬水性に優れ、低刺激性で繰り返し洗浄しても乾燥しにくく、泡のキメが細かく感触の良い泡を生成する洗浄剤組成物を提供する。【解決手段】一般式（１）で表されるスルホン酸又は一般式（１）で表されるスルホン酸塩（Ａ）及び直鎖または分岐の脂肪族アルコール（Ｂ）を含有する洗浄剤組成物であって、（Ｂ）の含有量が、洗浄剤組成物の重量に基づいて０．０１〜３０重量％である洗浄剤組成物。【選択図】なし【特許請求の範囲】
【請求項１】
一般式（１）で表されるスルホン酸又は一般式（１）で表されるスルホン酸塩（Ａ）及び直鎖又は分岐の脂肪族アルコール（Ｂ）を含有する洗浄剤組成物であって、脂肪族アルコール（Ｂ）の含有量が、洗浄剤組成物の重量に基づいて０．０１〜３０重量％である洗浄剤組成物。
【化１】
2017186491.tif 000007
［式中、Ｒ１は炭素数６〜２２の直鎖または分岐の脂肪族炭化水素基を表し、ＡＯは炭素数２〜６のアルキレンオキシ基を表し、ｎは０〜１５の数を表し、ＸおよびＹは、一方がＯＨで残りの一方がＳＯ３−Ｍである。ただし、Ｍはカチオンを表す。］
【請求項２】
脂肪族アルコール（Ｂ）が炭素数６〜３０の直鎖または分岐の脂肪族アルコール（Ｂ１）、及び一般式（２）で表される脂肪族アルコールエーテル（Ｂ２）から選ばれる１種以上である請求項１に記載の洗浄剤組成物。
【化２】
2017186491.tif 000008
［式中、Ｒ２は炭素数６〜３０の直鎖または分岐の脂肪族炭化水素基を表し、ＡＯは炭素数２〜６のアルキレンオキシ基を表し、ｎは１〜５０の数を表す。］
【請求項３】
さらに、一般式（３）で表されるジオール（Ｃ）を含有し、（Ｃ）の含有量が洗浄剤組成物の重量に基づいて０．００１〜２０重量％である請求項１または２に記載浄剤組成物。
【化３】
2017186491.tif 000009
［式中、Ｒ３は炭素数６〜２２の直鎖または分岐の脂肪族炭化水素基を表し、ＡＯは炭素数２〜６のアルキレンオキシ基を表し、ｎは０〜１５の数を表す。］
【請求項４】
さらに、水並びに（Ａ）以外のアニオン界面活性剤、（Ｂ）および（Ｃ）以外のノニオン界面活性剤、両性界面活性剤、カチオン界面活性剤、保湿剤、コンディショニング剤、キレート剤、ビルダー、増粘剤、パール化剤、着色料、香料、防腐剤、殺菌剤、薬効剤、抗炎症剤、紫外線吸収剤および酸化防止剤からなる群から選ばれる１種以上の添加剤（Ｄ）を含有してなる請求項１〜３のいずれかに記載の洗浄剤組成物。
【発明の詳細な説明】
【技術分野】
【０００１】
本発明は洗浄剤組成物に関する。さらに詳しくは、ヒドロキシスルホン酸塩型アニオン界面活性剤を含有する洗浄剤組成物に関するものである。
【背景技術】
【０００２】
従来、ヒトの皮膚、毛髪用の洗浄剤組成物にはアニオン界面活性剤が主成分として使用されている。特に脂肪酸石けんやアルキルエーテル硫酸塩型のアニオン界面活性剤が広く使用されている。しかしながら、脂肪酸石けんは弱酸性や中性の洗浄剤組成物では起泡性や洗浄性が極端に落ちるため使用できず、アルキルエーテル硫酸塩は弱酸性や中性でも優れた起泡性であるものの、皮膚や眼に対して中程度の刺激性があるという問題がある。
低刺激性のアニオン界面活性剤としてアミノ酸由来のアニオン界面活性剤やアルキルエーテルカルボン酸塩、アルキルスルホコハク酸塩等種々のアニオン界面活性剤が利用されてきた。しかしながら、アミノ酸由来のアニオン界面活性剤やアルキルエーテルカルボン酸塩等は、硬度の高い水では泡立ちが悪く、アルキルスルホコハク酸塩等はエステル結合があるため、分解しやすく、安定性に問題があった。
【０００３】
起泡力及び耐硬水性に優れ、低刺激性のアニオン界面活性剤としてアルコールエトキシグリセリルスルホン酸塩を皮膚や毛髪用の洗浄剤組成物に利用することが提案されている（特許文献１）。しかしながら、アルコールエトキシグリセリルスルホン酸塩は、皮膚への刺激を与えることは少ないものの、脱脂力が強く、繰り返し洗浄操作を行うと、皮膚が乾燥したり、毛髪がパサついたりする問題があった。また脂肪酸石けん等に比べて、泡のキメが粗く、泡の粘性が低くて洗浄時の感触が悪くなる問題があった。
【先行技術文献】
【特許文献】
【０００４】
【特許文献１】特開平６−１７２１５６号公報
【発明の概要】
【発明が解決しようとする課題】
【０００５】
本発明の目的は、起泡力及び耐硬水性に優れ、低刺激性で繰り返し洗浄しても乾燥しにくく、泡のキメが細かく感触の良い泡を生成する洗浄剤組成物を提供しようとするものである。
【課題を解決するための手段】
【０００６】
本発明者等は、上記の課題を解決すべく鋭意検討した結果、本発明に至った。 すなわち本発明は、一般式（１）で表されるスルホン酸又は一般式（１）で表されるスルホン酸塩（Ａ）及び直鎖または分岐の脂肪族アルコール（Ｂ）を含有する洗浄剤組成物であって、（Ｂ）の含有量が、洗浄剤組成物の重量に基づいて０．０１〜３０重量％である洗浄剤組成物である。
【化１】
2017186491.tif 000002
【０００７】
一般式（１）中、Ｒ１は炭素数６〜２２の直鎖または分岐の脂肪族炭化水素基を表し、ＡＯは炭素数２〜６のアルキレンオキシ基を表し、ｎは０〜１５の数を表し、ＸおよびＹは、一方がＯＨで残りの一方がＳＯ３―Ｍである。ただし、Ｍはカチオンを表す。
【発明の効果】
【０００８】
本発明の洗浄剤組成物は、起泡力及び耐硬水性に優れ、低刺激性で繰り返し洗浄しても乾燥しにくく、泡のキメが細かく感触の良い泡を生成する、という効果を奏する。
【発明を実施するための形態】
【０００９】
一般式（１）において、Ｒ１は、炭素数６〜２２の直鎖または分岐の脂肪族炭化水素基である。これらのうち、好ましいものは、炭素数８〜１８の直鎖または分岐の脂肪族炭化水素基であり、更に好ましいのは炭素数８〜１８の直鎖の脂肪族炭化水素基である。Ｒ１の炭素数が６以上であれば、十分に低刺激性であり、炭素数が２２以下であれば十分に起泡力に優れる。炭素数６〜２２のＲ１としては、直鎖アルキル基（オクチル基、デシル基、ドデシル基、テトラデシル基、ヘキサデシル基及びオクタデシル基など）、直鎖アルケニル基（ドデセニル基、テトラデセニル基、ペンタデセニル基、ヘキサデセニル基及びオクタデセニル基など）、分岐アルキル基（２−エチルヘキシル基、イソデシル基、２−メチルウンデシル基、分岐トリデシル基、２−ヘキシルオクチル基、２−オクチルデシル基、２−オクチルドデシル基及びイソステアリルアルコールなど）、分岐アルケニル基（２−エチル−２−ヘキセニル基、２−ヘキシル−２−オクテニル基及び２−オクチル−２−デセニル基など）が挙げられる。
これらＲ１で示される基のうち、起泡性及び刺激性の観点から好ましいものは、炭素数８〜１４の直鎖アルキル基または炭素数８〜１４の直鎖アルケニル基である。
【００１０】
一般式（１）におけるＡＯとしては、炭素数２〜６のアルキレンオキシ基である。例えば、エチレンオキシ基、１，２−及び１，３−プロピレンオキシ基、１，２−、１，３−、１，４−及び２，３−ブチレンオキシ基、１，２−、１，３−、１，４−、１，５−、１，６−及び２，５−ヘキシレンオキシ基など、ならびにこれらの２種類以上の組み合わせが挙げられる。
これらのうち、起泡性及び刺激性の観点から好ましいのはエチレンオキシ基及び１，２−プロピレンオキシ基であり、ＡＯが２種類以上である場合はブロック状でもランダム状でも両者の組み合わせでもよい。
【００１１】
一般式（１）におけるｎは０〜１５の数を表す。ｎが０のときは、アルキルグリセリルエーテルのスルホン酸塩を表す。
これらのうち、ｎは起泡力の観点から、好ましくは０〜１２の数であり、さらに好ましくは０〜８の数である。
【００１２】
一般式（１）におけるＸおよびＹは、一方が水素原子で残りの一方がＳＯ３―Ｍである。ただし、Ｍはカチオンを表す。カチオンとしては水素カチオン及び塩形成カチオンである１価と２価のカチオンが挙げられる。
１価のカチオンには、アルカリ金属カチオン、アンモニウムイオン、有機アミンカチオン、四級アンモニウムカチオン、塩基性アミノ酸カチオンおよびこれらの２種以上の併用が含まれる。
アルカリ金属カチオンを構成するアルカリ金属としては、ナトリウム、カリウムおよびリチウムなどが挙げられる。
有機アミンカチオンを構成する有機アミンとしては、一級、二級および三級の脂肪族アミン（炭素数１〜２０のアルキル基および／または炭素数２〜４のヒドロキシアルキル基を有するアミン：例えばジエチルアミン、トリエチルアミン、モノエタノールアミンおよびモノプロパノールアミンなど）、脂環式アミン（シクロヘキシルアミンおよびジシクロヘキシルアミンなど）、芳香族アミン（アニリンおよびトルイジンなど）、芳香複素環アミン（ピリジンおよびキノリンなど）、複素環アミン（モルホリン、Ｎ−メチルモルホリンおよびピペラジンなど）、およびこれらの環状アミンのＮ位の炭素数２〜４のヒドロキシアルキル置換体（Ｎ−ヒドロキシエチルモルホリンなど）が挙げられる。
四級アンモニウムカチオンを構成する四級アンモニウムとしては、脂肪族および脂環族四級アンモニウム、例えばテトラ（シクロ）アルキルアンモニウム［炭素数１〜１２のアルキル基（メチル、エチル、プロピルブチル、ヘキシル、オクチルおよびドデシル基など）および／またはシクロアルキル基（シクロヘキシル基など）を有する；４つの（シクロ）アルキル基は同一でも異なっていてもよい。］などが挙げられる。
塩基性アミノ酸カチオンを構成する塩基性アミノ酸としては、リジンおよびアルギニンなどが挙げられる。
なお、（シクロ）アルキル基は、アルキル基および／またはシクロアルキル基を表し、以下同様の表現を用いる。
２価のカチオンとしては、アルカリ土類金属カチオン、例えばマグネシウムカチオンおよびカルシウムカチオンなどが挙げられ、２価のカチオンの場合のＭは例えば１当量の一般式（１）で表される化合物に対して１／２当量のマグネシウムカチオンＭｇまたは１／２当量のカルシウムカチオンＣａとなる。
【００１３】
スルホン酸又はスルホン酸塩（Ａ）は、公知の方法等によって得ることができ、たとえば対応するアルキルグリシジルエーテルまたはポリオキシアルキレンアルキルグリシジルエーテルと亜硫酸塩及び／または亜硫酸水素塩を、水中で温度５０〜１５０℃で反応させることによって得ることができる。
【００１４】
スルホン酸塩（Ａ）の具体例としては、オクチルグリセリルエーテルスルホン酸ナトリウム、デシルグリセリルエーテルスルホン酸ナトリウム、ドデシルグリセリルエーテルスルホン酸ナトリウム、テトラデシルグリセリルエーテルスルホン酸ナトリウム、オクタデシルグリセリルエーテルスルホン酸ナトリウム、ドコシルグリセリルエーテルスルホン酸ナトリウム、デシルグリセリルエーテルスルホン酸カリウム、デシルグリセリルエーテルスルホン酸アンモニウム、デシルグリセリルエーテルスルホン酸マグネシウム、ドデシルグリセリルエーテルスルホン酸カリウム、ドデシルグリセリルエーテルスルホン酸アンモニウム、ドデシルグリセリルエーテルスルホン酸マグネシウム、ポリオキシエチレンオクチルグリセリルエーテルスルホン酸ナトリウム、ポリオキシエチレンデシルグリセリルエーテルスルホン酸ナトリウム、ポリオキシエチレンドデシルグリセリルエーテルスルホン酸ナトリウム、ポリオキシエチレンテトラデシルグリセリルエーテルスルホン酸ナトリウム、ポリオキシエチレンオクタデシルグリセリルエーテルスルホン酸ナトリウム、ポリオキシエチレンドコシルグリセリルエーテルスルホン酸ナトリウム、ポリオキシエチレンポリオキシプロピレンオクチルグリセリルエーテルスルホン酸ナトリウム及びポリオキシエチレンポリオキシプロピレンデシルグリセリルエーテルスルホン酸ナトリウム等が挙げられる。
【００１５】
これらのスルホン酸又はスルホン酸塩（Ａ）うち、洗浄時の泡量の観点から好ましいものはオクチルグリセリルエーテルスルホン酸ナトリウム、デシルグリセリルエーテルスルホン酸ナトリウム、ドデシルグリセリルエーテルスルホン酸ナトリウム、オクタデシルグリセルエーテルスルホン酸ナトリウム、デシルグリセリルエーテルスルホン酸カリウム、ドデシルグリセリルエーテルスルホン酸カリウム、ポリオキシエチレン（２モル付加）デシルグリセリルエーテルスルホン酸ナトリウム及びポリオキシエチレン（３モル付加）ドデシルグリセリルエーテルスルホン酸ナトリウムであり、更に好ましくはデシルグリセリルエーテルスルホン酸ナトリウム、ドデシルグリセリルエーテルスルホン酸ナトリウム、ポリオキシエチレン（２モル付加）デシルグリセリルエーテルスルホン酸ナトリウム及びポリオキシエチレン（３モル付加）ドデシルグリセリルエーテルスルホン酸ナトリウムである。
【００１６】
本発明における直鎖または分岐の脂肪族アルコール（Ｂ）は、例えば、炭素数２〜１００の直鎖または分岐の１〜６価の脂肪族アルコールであり、任意の位置にエーテル酸素を介していても良いアルコールが挙げられる。
これらのうち、繰り返し使用後の皮膚や毛髪の状態や、洗浄時の泡質の観点から、炭素数６〜３０の直鎖または分岐の脂肪族アルコール（Ｂ１）、及び一般式（２）で表される脂肪族アルコールエーテル（Ｂ２）から選ばれる１種以上を含有する場合が好ましい。
【００１７】
炭素数６〜３０の直鎖または分岐の脂肪族アルコール（Ｂ１）としては、直鎖飽和脂肪族アルコール（１−ヘキサノール、１−オクタノール、１−デカノール、１−ドデカノール、１−テトラデカノール、１−ヘキサデカノール、１−オクタデカノール、１−エイコサノール、１−ドコサノール及び１−トリアコンタノールなど）、直鎖不飽和脂肪族アルコール（２−ヘキセン−１−オール、６−ドデセン−１−オール、８−ヘキサデセン−１−オール、９−オクタデセン−１−オール、９，１２−オクタデカジエン−１−オール及び９，１２，１５−オクタデカトリエン−１−オールなど）、分岐飽和脂肪族アルコール（２−ヘキサノール、２−オクタノール、２−デカノール、２−ドデカノール、２−ブチルオクタノール、２−テトラデカノール、２−ヘキサデカノール、２−ヘキシルデカノール、２−オクチルデカノール、２−ヘキシルドデカノール、イソステアリルアルコール、２−オクチルドデカノール、２−オクチルテトラデカノール及び２−トリアコンタノールなど）及び分岐不飽和脂肪族アルコール（６−ドデセン−２−オール、８−ヘキサデセン−２−オール、９−オクタデセン−２−オール、９，１２−オクタデカジエン−２−オール及び９，１２，１５−オクタデカトリエン−２−オールなど）が挙げられる。
【００１８】
一般式（２）におけるＲ２としては、炭素数６〜３０の直鎖または分岐の脂肪族炭化水素基であることが好ましい。
これらのうち、繰り返し使用後の皮膚や毛髪の状態や、洗浄時の泡質の観点から好ましいものは、炭素数８〜２４の直鎖または分岐の脂肪族炭化水素基であり、更に好ましいのは炭素数１０〜１８の直鎖の脂肪族炭化水素基である。
炭素数６〜３０のＲ１としては、直鎖アルキル基（オクチル基、デシル基、ドデシル基、テトラデシル基、ヘキサデシル基、オクタデシル基、ドコシル基、テトラコシル基及びトリアコンチル基など）、直鎖アルケニル基（ドデセニル基、テトラデセニル基、ペンタデセニル基、ヘキサデセニル基、オクタデセニル基、ドコセニル基、テトラコセニル基及びトリアコンテニル基など）、分岐アルキル基（２−エチルヘキシル基、イソデシル基、２−メチルウンデシル基、分岐トリデシル基、２−ヘキシルオクチル基、２−オクチルデシル基、２−オクチルドデシル基及びイソステアリルアルコールなど）、分岐アルケニル基（２−エチル−２−ヘキセニル基、２−ヘキシル−２−オクテニル基及び２−オクチル−２−デセニル基など）が挙げられる。
【００１９】
これらの直鎖または分岐の脂肪族アルコール（Ｂ）うち、繰り返し使用後の皮膚や毛髪の状態や、洗浄時の泡質の観点から、１−ドデカノール、１−オクタデカノール及び１−ドコサノール、ポリオキシエチレン（２モル付加）ドデカノール、ポリオキシエチレン（５モル付加）ドデカノール、ポリオキシエチレン（３モル付加）ポリオキシプロピレン（１モル付加）ドデカノールが好ましい。
【００２０】
一般式（２）におけるＡＯは、炭素数２〜６のアルキレンオキシ基であることが好ましい。例えば、アルキレンオキシ基としては、エチレンオキシ基、１，２−及び１，３−プロピレンオキシ基、１，２−、１，３−、１，４−及び２，３−ブチレンオキシ基、１，２−、１，３−、１，４−、１，５−、１，６−及び２，５−ヘキシレンオキシ基など、ならびにこれらの２種類以上の組み合わせが挙げられる。
これらのうち洗浄時の泡質の観点から、好ましいのはエチレンオキシ基及び１，２−プロピレンオキシ基であり、ＡＯが２種類以上である場合はブロック状でもランダム状でも両者の組み合わせでもよい。
ｎはアルキレンオキシ基の付加モル数を表し、好ましくは１〜５０の数であり、洗浄時の泡質の観点から、さらに好ましくは、１〜３０であり、特に好ましくは１〜１５の数である。
【００２１】
直鎖または分岐の脂肪族アルコール（Ｂ）の含有量は、洗浄剤組成物の重量に基づいて０．０１〜３０重量％である。好ましくは０．０２〜２５重量％、さらに好ましくは０．０３〜２０重量％である。０．０１重量％以上であれば、繰り返し洗浄しても乾燥しにくく、３０重量％以下であれば泡のキメが細かく感触の良い泡を生成する。
【００２２】
脂肪族アルコールエーテル（Ｂ２）は、公知の方法等によって得ることができ、たとえば（Ｂ１）の直鎖または分岐の脂肪族アルコールに触媒存在下で炭素数２〜６のアルキレンオキシドを−０．８〜５ＭＰａで、８０〜２００℃で付加反応させることによって得ることができる。
触媒としては、アルカリ触媒（アルカリ金属およびアルカリ土類金属の水酸化物、例えば水酸化リチウム、水酸化ナトリウム、水酸化カリウム、水酸化セシウム、水酸化マグネシウム、水酸化カルシウム、水酸化バリウムなど、好ましくは水酸化カリウム、水酸化セシウム）、ルイス酸触媒（四塩化スズ、五塩化アンチモン、三塩化鉄、三フッ化ホウ素など）、過ハロゲン酸もしくはその塩、硫酸もしくはその塩、燐酸もしくはその塩、および硝酸もしくはその塩などが挙げられる。塩を形成する場合の金属は、特に限定されるものではないが、アルカリ金属以外のものが好ましく、２価または３価の金属（Ｍｇ、Ｃａ、Ｓｒ、Ｂａ、Ｚｎ、Ｃｏ、Ｎｉ、Ｃｕ、Ａｌであり、より好ましくは、Ｍｇ、Ｚｎ、Ｃａ、Ｓｒ、Ｂａ、Ａｌであり、特に好ましくはＭｇ、Ｚｎ、Ａｌ）が好ましい。
過ハロゲン酸（塩）のハロゲンとしては塩素、臭素、ヨウ素が挙げられ、塩素が好ましい。また、アルキレンオキサイド（ｂ１）の付加反応に複数の工程（ブロック付加など）がある場合は、最初の工程で使用した触媒と後の工程で使用する触媒は、異なっていてもよいし、同じでもよい。
触媒の使用量としては、反応速度と経済性の点から、仕上がり量の合計１００重量部当たり、０．００１〜１重量部が好ましい。さらに好ましくは０．００３〜０．８重量部、特に好ましくは０．００５〜０．５重量部である。
また触媒、溶媒および触媒の使用量などは、特開平２００１−０１１４８９号公報に記載のもの、もしくは使用量も適用できる。
【００２３】
脂肪族アルコールエーテル（Ｂ）はスルホン酸塩（Ａ）と共に配合してもよいが、スルホン酸塩（Ａ）の原料となるグリシジルエーテルの未反応物としてグリシジルエーテル中に残存したままスルホン化してスルホン酸塩（Ａ）を得て、スルホン酸塩（Ａ）と脂肪族アルコールエーテル（Ｂ）の混合物を製造しても良い。
【００２４】
本発明の洗浄剤組成物は、さらに、一般式（３）で表されるジオール（Ｃ）を含有していることが好ましい。
【００２５】
一般式（３）中、Ｒ３は好ましくは炭素数６〜２２の直鎖または分岐の脂肪族炭化水素基を表し、ＡＯは好ましくは炭素数２〜６のアルキレンオキシ基を表し、ｎは好ましくは０〜１５の数を表す。
【００２６】
一般式（３）において、Ｒ３は、好ましくは炭素数６〜２２の直鎖または分岐の脂肪族炭化水素基である。
これらのうち、好ましいものは、炭素数８〜１８の直鎖または分岐の脂肪族炭化水素基であり、更に好ましいのは炭素数８〜１８の直鎖の脂肪族炭化水素基である。Ｒ３の炭素数が６以上であれば、十分に低刺激性であり、炭素数が２２以下であれば十分に起泡力に優れる。炭素数６〜２２のＲ３としては、直鎖アルキル基（オクチル基、デシル基、ドデシル基、テトラデシル基、ヘキサデシル基及びオクタデシル基など）、直鎖アルケニル基（ドデセニル基、テトラデセニル基、ペンタデセニル基、ヘキサデセニル基及びオクタデセニル基など）、分岐アルキル基（２−エチルヘキシル基、イソデシル基、２−メチルウンデシル基、分岐トリデシル基、２−ヘキシルオクチル基、２−オクチルデシル基、２−オクチルドデシル基及びイソステアリルアルコールなど）、分岐アルケニル基（２−エチル−２−ヘキセニル基、２−ヘキシル−２−オクテニル基及び２−オクチル−２−デセニル基など）が挙げられる。
これらＲ１で示される基のうち起泡性及び刺激性の観点から好ましいものは、炭素数８〜１４の直鎖アルキル基または炭素数８〜１４の直鎖アルケニル基である。
【００２７】
一般式（３）におけるＡＯとしては、炭素数２〜６のアルキレンオキシ基で表すことができる。例えば、エチレンオキシ基、１，２−及び１，３−プロピレンオキシ基、１，２−、１，３−、１，４−及び２，３−ブチレンオキシ基、１，２−、１，３−、１，４−、１，５−、１，６−及び２，５−ヘキシレンオキシ基など、ならびにこれらの２種類以上の組み合わせが挙げられる。
これらのうち起泡性及び刺激性の観点から好ましいのはエチレンオキシ基及び１，２−プロピレンオキシ基であり、ＡＯが２種類以上である場合はブロック状でもランダム状でも両者の組み合わせでもよい。
【００２８】
一般式（３）におけるｎは好ましくは０〜１５の数を表す。ｎが０のときは、アルキルグリセリルエーテルを表す。ｎは繰り返し使用時の皮膚の乾燥の観点から、さらに好ましくは０〜１２の数であり、特に好ましくは０〜８の数である。
【００２９】
これらのジオール（Ｃ）うち、起泡性及び刺激性の観点からオクチルグリセルエーテル、デシルグリセルエーテル、オクタデシルグリセルエーテル、ポリオキシエチレン（２モル付加）デシルグリセルエーテル及びポリオキシエチレン（３モル付加）ドデシルグリセルエーテルが好ましい。
【００３０】
ジオール（Ｃ）の含有量は洗浄剤組成物の重量に基づいて好ましくは、０．００１〜２０重量％であり、さらに好ましくは０．００５〜１５重量％である。０．００１重量％以上であれば、繰り返し洗浄しても乾燥しにくく、２０重量％以下であれば泡のキメが細かく感触が良い。
【００３１】
ジオール（Ｃ）は、公知の方法等によって得ることができ、たとえば対応するアルキルグリシジルエーテルまたはポリオキシアルキレンアルキルグリシジルエーテルを必要により酸またはアルカリ触媒存在下で水により開環させることによって得ることができる。
【００３２】
本発明の洗浄剤組成物は、さらに、水並びに（Ａ）以外のアニオン界面活性剤、（Ｂ）および（Ｃ）以外のノニオン界面活性剤、両性界面活性剤、保湿剤、コンディショニング剤、キレート剤、ビルダー、増粘剤、パール化剤、着色料、香料、防腐剤、殺菌剤、薬効剤、抗炎症剤、紫外線吸収剤および酸化防止剤からなる群から選ばれる少なくとも１種の添加剤（Ｄ）を含有していても良い。
【００３３】
水の含有量は、ハンドリング性の観点から、３５〜９５重量％が好ましく、さらに好ましくは５０〜９０重量％である。  また、洗浄剤組成物のｐＨは特に限定されないが、人体に対する安全性の観点から、中性〜弱酸性（例えば、ｐＨ４〜９）が好ましい。
【００３４】
（Ａ）以外のアニオン界面活性剤としては、炭素数８〜２４の炭化水素系スルホン酸塩［ドデシルベンゼンスルホン酸ナトリウム、α−オレフィンスルホン酸ナトリウム等］、炭素数８〜２４の炭化水素系リン酸エステル塩［ラウリルリン酸ナトリウム、（ポリ）オキシエチレン（平均付加モル数＝１〜１００）ラウリルエーテルリン酸ナトリウム等］、脂肪酸塩［ラウリン酸ナトリウム、ラウリン酸トリエタノールアミン等］、炭素数１０〜１８のカルボン酸とアミノカルボン酸系アミノ酸との縮合物：例えばアシルザルコシン塩［オレイルザルコシンナトリウム、ラウリルザルコシンナトリウム、パルミチルザルコシンナトリウム、ヤシ油脂肪酸ザルコシンナトリウム、ヤシ油脂肪酸ザルコシントリエタノールアミンおよび「新界面活性剤」堀口博著（昭和５０年、三共出版発行）ｐ４０２−４０４に記載のもの等］；アシルグルタミン酸塩［オレイルグルタミン酸ナトリウム、ラウリルグルタミン酸ナトリウム、パルミチルグルタミン酸ナトリウム、ヤシ油脂肪酸グルタミン酸トリエタノールアミンおよびヤシ油脂肪酸グルタミン酸ナトリウム等］およびアシルアラニン塩［ラウロイルメチル−β−アラニンナトリウムなど］、炭素数１０〜１８のカルボン酸とアミノスルホン酸系アミノ酸との縮合物：例えばアシルメチルタウリン塩［ヤシ油脂肪酸メチルタウリンナトリウムなど］、炭素数１０〜１８のカルボン酸とイセチオン酸との縮合物：例えばアシルイセチオン酸塩［ヤシ油脂肪酸イセチオン酸ナトリウム等］、炭素数８〜２４の炭化水素系エーテルカルボン酸又はその塩、［（ポリ）オキシエチレン（平均付加モル数＝２〜２０）ラウリルエーテル酢酸ナトリウム等］、炭素数８〜２４の炭化水素系硫酸エステル塩［ラウリル硫酸ナトリウム、（ポリ）オキシエチレン（平均付加モル数＝２〜２０）ラウリルエーテル硫酸ナトリウム、（ポリ）オキシエチレン（平均付加モル数＝２〜２０）ラウリル硫酸トリエタノールアミン、（ポリ）オキシエチレン（平均付加モル数＝２〜２０）ヤシ油脂肪酸モノエタノールアミド硫酸ナトリウム］、炭素数８〜２４の炭化水素系リン酸エステル塩［ラウリルリン酸ナトリウム、（ポリ）オキシエチレン（平均付加モル数＝２〜２０）ラウリルエーテルリン酸ナトリウム等］スルホコハク酸塩：例えばアルキル（炭素数６〜１８）スルホコハク酸エステル塩［ジ−２−エチルヘキシルスルホコハク酸エステル一塩、およびモノ−２−エチルヘキシルスルホコハク酸エステル二塩など］、並びに（ポリ）オキシエチレン（平均付加モル数＝１〜５０）アルキル（炭素数８〜２４）スルホコハク酸エステル塩［ジ−ポリオキシエチレン（平均付加モル数＝２〜２０）ラウリルスルホコハク酸エステル一塩、及びモノ−ポリオキシエチレン（平均付加モル数＝２〜２０）ラウリルスルホコハク酸エステル二塩等］等が挙げられる。
【００３５】
（Ｂ）及び（Ｃ）以外のノニオン界面活性剤としては、モノ脂肪族系アルコール（炭素数８〜２４）アルキレンオキサイド（炭素数２〜８）付加物（平均付加モル数＝１〜１００）｛ポリオキシエチレン（平均付加モル数＝１〜１００）ドデシレングリコール等｝、多価（２価〜１０価又はそれ以上）脂肪族系アルコール（炭素数８〜２４）アルキレンオキサイド（炭素数２〜８）付加物（平均付加モル数＝１〜１００）、（ポリ）オキシアルキレン（炭素数２〜８、平均付加モル数＝１〜１００）高級脂肪酸（炭素数８〜２４）エステル［モノステアリン酸ポリエチレングリコール（平均付加モル数＝２０）、ジステアリン酸ポリエチレングリコール（平均付加モル数＝３０）等］、多価（２価〜１０価又はそれ以上）アルコール脂肪酸（炭素数８〜２４）エステル［モノステアリン酸グリセリン、モノステアリン酸エチレングリコール、モノラウリン酸ソルビタン等］、（ポリ）オキシアルキレン（炭素数２〜８，重合度＝１〜１００）多価（２価〜１０価またはそれ以上）アルコール高級脂肪酸（炭素数８〜２４）エステル［モノラウリン酸ポリオキシエチレン（平均付加モル数＝１０）ソルビタン、ポリオキシエチレン（平均付加モル数＝５０）ジオレイン酸メチルグルコシド等］、脂肪酸アルカノールアミド［ヤシ油脂肪酸モノエタノールアミド、１：１型ヤシ油脂肪酸ジエタノールアミド、１：１型ラウリン酸ジエタノールアミド等］、（ポリ）オキシアルキレン（炭素数２〜８、平均付加モル数＝１〜１００）アルキル（炭素数１〜２２）フェニルエーテル、（ポリ）オキシアルキレン（炭素数２〜８、平均付加モル数＝１〜１００）アルキル（炭素数８〜２４）アミノエーテルおよびアルキル（炭素数８〜２４）ジアルキル（炭素数１〜６）アミンオキシド［ラウリルジメチルアミンオキシド等］等が挙げられる。
【００３６】
両性界面活性剤としては、ベタイン型両性界面活性剤［ヤシ油脂肪酸アミドプロピルジメチルアミノ酢酸ベタイン、ラウリルジメチルアミノ酢酸ベタイン、２−アルキル−Ｎ−カルボキシメチル−Ｎ−ヒドロキシエチルイミダゾリニウムベタイン、ラウリルヒドロキシスルホベタイン、ラウロイルアミドエチルヒドロキシエチルカルボキシメチルベタインヒドロキシプロピルリン酸ナトリウム等］、アミノ酸型両性界面活性剤［β−ラウリルアミノプロピオン酸ナトリウム等］等が挙げられる。
【００３７】
カチオン性界面活性剤としては、第４級アンモニウム塩型［塩化ステアリルトリメチルアンモニウム、塩化ベヘニルトリメチルアンモニウム、塩化ジステアリルジメチルアンモニウム、エチル硫酸ラノリン脂肪酸アミノプロピルエチルジメチルアンモニウム等］、アミン塩型［ステアリン酸ジエチルアミノエチルアミド乳酸塩、ジラウリルアミン塩酸塩、オレイルアミン乳酸塩等］等が挙げられる。
【００３８】
さらに、米国特許第４，３３１，４４７号明細書に記載のアニオン性界面活性剤、両性界面活性剤、カチオン性界面活性剤および非イオン性界面活性剤も挙げられる。
【００３９】
保湿剤としては多価アルコール［グリセリン、ポリグリセリン、１，２−プロピレングリコール、１，３−ブチレングリコール、ジプロピレングリコール等］、多価アルコール誘導体［ポリエチレングリコール、ポリプロピレングリコールなど］及びカルボン酸誘導体［ポリアクリル酸ソーダ、ピロリドンカルボン酸ナトリウム、ヒアルロン酸ナトリウム等］；コンディショニング剤としては、重量平均分子量５００〜５００万の範囲のカチオン化セルロース、カチオン化グアーガム、シリコーン類、（カチオン化）ヒドロキシエチルセルロース、タンパク質誘導体、セラミド類、擬似セラミド類、１８−メチルエイコサン等の直鎖状又は分枝状の炭素数１６〜４０の脂肪酸、ヒドロキシ酸及びパンテノール等；キレート剤としてはエチレンジアミン四酢酸ナトリウム、１-ヒドロキシエタン−１及び１-ジホスホン酸ナトリウム等；ビルダーとしては、ポリカルボン酸塩（アクリル酸塩ホモポリマー及びマレイン酸塩ホモポリマー等）、多価カルボン酸塩（クエン酸及びリンゴ酸等）、及びアルカリビルダー（苛性ソーダ、ソーダ灰、アンモニア、トリエタノールアミン、トリポリリン酸ソーダ及びケイ酸ソーダ等）；増粘剤としてはセルロース誘導体、ポリビニルアルコール及びポリアクリル酸ソーダ等；パール化剤としては、ジステアリン酸グリコール等が挙げられる。
【００４０】
着色料としては、特には限定されないが、青色１号、青色２号、緑色３号、赤色１号等が挙げられ、化粧品に使用することができるものは、全て使用可能である。
【００４１】
香料としては、ｄ−リモネン、β−カリオフィレン、シス−３−ヘキセノール、リナロール、ファルネソール、β−フェニルエチルアルコール，２，６−ノナジエナール、シトラール、α−ヘキシルシンナミックアルデヒド、β−イオノン、ｌ−カルボン、シクロペンタデカノン、リナリルアセテート、ベンジルベンゾエート、γ−ウンデカラクトン、オ
イゲノール、ローズオキサイド、インドール、フェニルアセトアルデヒドジメチルアセタール、オーランチオール、シンアミックアルデヒド、メチルヨノン等が挙げられる。
【００４２】
防腐剤及び殺菌剤としては安息香酸、安息香酸塩類、サリチル酸、サリチル酸塩類、フェノール、ソルビン酸、ソルビン酸塩類、パラオキシ安息香酸エステル、クロルクレゾール、デヒドロ酢酸、デヒドロ酢酸塩、レゾルシン、ヘキサクロロフェン、イソプロピルメチルフェノール、オルトフェニルフェノール、塩化ベンザルコニウム、塩酸クロルヘキシジン、ビサボロール、ハロカルバン、トリクロロカルバニド、グルコン酸クロルヘキシジン、臭化アルキルイソキノリニウム、フェノキシエタノール、塩酸アルキルジアミノエチルグリシン、ポリヘキサメチレンビグアニリド、グルクロン酸クロルヘキシジン、ポリリジン、および２−（４−チオシアノメチルチオ）ベンズイミダゾールなどが挙げられる。
【００４３】
薬効剤としては、美白用薬剤（ビタミンＣ類、アルブチン、コウジ酸、エラグ酸及びルシノールなど）、抗しわ剤（ビタミンＡ類、α−ヒドロキシ酸など）；抗炎症剤としてはグリチルリチン酸及びその誘導体、アラントイン、ヒドロコルチゾンなどが挙げられる。
【００４４】
香料、着色料、防腐剤、殺菌剤、抗炎症剤、紫外線吸収剤および酸化防止剤としては、上記以外にも「香粧品科学」田村健夫著 社団法人日本毛髪科学協会１９７６年発行のｐ１５０〜１７６に記載の香料、ｐ１４５〜１４８に記載の着色料、ｐ１８５〜１９６に記載の防腐剤と殺菌剤、ｐ１７２に記載の抗炎症剤、ｐ１７７〜１８３に記載の紫外線吸収剤、ｐ１９９〜ｐ２０３に記載の酸化防止剤などが挙げられる。
【００４５】
これらのうち添加剤（Ｄ）としては、ヤシ油脂肪酸アミドプロピルジメチルアミノベタイン、ポリオキシエチレン（２モル付加）ドデシル硫酸ナトリウム、ラウリン酸カリウム、ヤシ油脂肪酸モノエタノールアミド、グリセリン及びカチオン化セルロースが好ましい。
【００４６】
本発明の洗浄剤組成物において、添加剤（Ｄ）の合計含有量は、洗浄剤組成物のハンドリング性及び起泡力などの洗浄剤としての基本性能の観点から、洗浄剤組成物の重量に基づいて、０．１〜４０重量％が好ましく、さらに好ましくは０．５〜３０重量％である。
【００４７】
本発明の洗浄剤組成物において、界面活性剤の含量の合計は、洗浄剤組成物の起泡力とハンドリング性の観点から、洗浄剤組成物の重量に基づいて３〜３５重量％が好ましく、さらに好ましくは５〜３０重量％である。３重量％以上であることで、起泡力が十分なものとなり、３５重量％以下であることで洗浄剤組成物の粘度が適度となり、ハンドリング性が良好である。
【００４８】
界面活性剤以外の添加剤の添加量は洗浄剤の用途によって好ましい範囲が異なるが、保湿剤、コンディショニング剤、ビルダー、増粘剤、パール化剤、薬効剤及び抗炎症剤のそれぞれの添加量は、起泡力とすすぎ時の感触の観点から、洗浄剤組成物中の水以外の成分の重量に基づいて、０〜２０重量％が好ましく、さらに好ましくは０．１〜１５重量％である。
キレート剤、着色料、香料、防腐剤、殺菌剤、紫外線吸収剤及び酸化防止剤のそれぞれの添加量は、安全性の観点から、洗浄剤組成物中の水以外の成分の重量に基づいて、０〜５重量％が好ましく、さらに好ましくは０．０１〜３重量％である。
また、界面活性剤以外の添加剤の合計添加量は、起泡力、すすぎ時の感触及び安全性の観点から、洗浄剤組成物中の水以外の成分の重量に基づいて、０〜２５重量％が好ましく、さらに好ましくは０．０１〜１８重量％である。
【００４９】
本発明の洗浄剤組成物は、例えば、毛髪洗浄剤（ヘアシャンプーなど）、皮膚洗浄剤（ボディシャンプー、洗顔クリームなど）に好適に使用され、さらには、食器用洗剤、衣料用洗剤などの住居用洗浄剤として用いられる。またその形態は、液体、ペースト、固体、または粉末など特に限定されないが、液体またはペーストが使いやすく好ましい。
【００５０】
本発明の洗浄剤組成物は、（Ａ）、（Ｂ）、（Ｃ）及び水、並びに必要により（Ｄ）を配合することによって製造可能である。配合の順序は特に限定されないが、混合時間と製造後の洗浄剤組成物の安定性の観点から、水溶性成分を均一に混合後、撹拌下、油溶性成分を徐々に配合する方法が好ましい。配合工程の好ましい温度は室温から８０℃であり、固体の成分を配合する場合は加温すると溶解が早くなるので好ましい。
【００５１】
配合に使用できる攪拌羽根としては、櫂型攪拌羽根または螺旋型攪拌羽根などが使用できる。
【００５２】
本発明の洗浄剤組成物がシャンプーに使用される場合の配合処方としては、たとえば、次のようなものがあげられる。
＜シャンプーの配合例（重量％）＞
スルホン酸塩（Ａ）                                           ：１〜３０
脂肪族アルコール（Ｂ）                                       ：０．０１〜１０
ジオール（Ｃ）                                               ：０．００１〜２０
両性界面活性剤（ヤシ油脂肪酸アミドプロピルベタインなど）     ：０〜５
（Ａ）以外のアニオン界面活性剤（ポリオキシエチレンラウリル硫酸塩など）
：０〜１０
（Ｂ）及び（Ｃ）以外のノニオン界面活性剤（ヤシ油脂肪酸モノエタノールアミドなど）
：０〜５
保湿剤（グリセリンなど）                                     ：０〜３
コンディショニング剤（カチオン化セルロースなど）             ：０．１〜２
パール化剤                                                   ：０〜３
香料                                                         ：適量
防腐剤                                                       ：適量
精製水                                                       ：残量
なお、シャンプーのｐＨは特に限定されないが、原液のｐＨ範囲は４〜９が好ましく、皮膚刺激、毛髪への損傷の観点から中性〜弱酸性（たとえばｐＨ５〜８）が好ましい。
【００５３】
本発明の洗浄剤組成物は皮膚用の洗浄剤組成物として適している。特に起泡力に優れ、低刺激性で繰り返し洗浄しても乾燥しにくく、泡のキメが細かく感触の良い泡を生成する。
【００５４】
本発明の洗浄剤組成物がボディソープに使用される場合の配合処方としては、たとえば、次のようなものがあげられる。
＜ボディソープの配合例（重量％）＞
スルホン酸塩（Ａ）                                           ：１〜３０
脂肪族アルコール（Ｂ）                                       ：０．０１〜１０
ジオール（Ｃ）                                               ：０．００１〜２０
両性界面活性剤（ヤシ油脂肪酸アミドプロピルベタインなど）     ：０〜５
（Ａ）以外のアニオン界面活性剤（高級脂肪酸塩など）           ：０〜１０
（Ｂ）及び（Ｃ）以外のノニオン界面活性剤（ヤシ油脂肪酸モノエタノールアミドなど）
：０〜５
保湿剤（グリセリンなど）                                     ：０〜３
パール化剤                                                   ：０〜３
キレート剤                                                   ：適量
香料                                                         ：適量
防腐剤                                                       ：適量
精製水                                                       ：残量
【００５５】
以下に実施例および比較例により本発明を説明するが、本発明はこれに限定されるものではない。
【００５６】
実施例１〜１６および比較例１〜１０
表１および表２に記載した配合量で各成分を室温で配合し、洗浄剤組成物を作製し、起泡性、シャンプーとして使用した場合の泡質および使用感、手洗い用洗浄剤として使用したときの使用感、耐硬水性の評価を行った。
【００５７】
＜起泡性＞
ＣａＯ換算１５ｐｐｍの硬水を用いて洗浄剤組成物の０．１％（有効成分濃度）水溶液２００ｍＬを調製し、２５℃にてジューサーミキサー（Ｎａｔｉｏｎａｌ  ＭＸ−Ｖ２００）で３０秒間攪拌し、その時の泡の高さ（ｍｍ）で、起泡性を評価した。
（採点基準）
◎：１１０ｍｍ以上
○：９０ｍｍ以上１１０ｍｍ未満
△：７０ｍｍ以上９０ｍｍ未満
×：７０ｍｍ未満
【００５８】
＜シャンプー時の泡質および使用感＞
男女各１０人のパネラーが、十分に４０℃のお湯で頭髪を濡らした後、実施例１〜１８、比較例１〜１０の各洗浄剤組成物５ｇを用いてシャンプーし、４０℃のお湯ですすぎ、下記処方で作成した標準コンディショナー５ｇを手で毛髪に馴染ませた後すすぎ、ドライヤーで乾燥させた。その際の洗浄時の泡質（泡の感触、泡のきめ細かさ）、洗浄時の使用感（毛髪への指通り性）、すすぎ時の使用感（毛髪への指通り性、手や頭皮に対するしっとり感）、乾燥後の仕上がり（毛髪のまとまり）の項目を評価した。
また、同様の操作を１日に１回、７日間連続で行った後の毛髪の感触（連用後の毛髪のまとまり、パサつき）を評価した。
パネラーが実際に使用した際の官能評価結果を点数で表し、その平均点で評価した。
（採点基準）
非常に良い：５点
良い ：４点
普通 ：３点
悪い ：２点
非常に悪い：１点
（評価基準）
◎：２０人の平均点が４．５以上
○：２０人の平均点が３．５以上４．５未満
△：２０人の平均点が２．５以上３．５未満
×：２０人の平均点が２．５未満
（標準コンディショナー処方）
ポリジメチルシロキサン                        ２．０重量部
セチルアルコール                              ２．５重量部
ステアリルアルコール                          ２．５重量部
塩化ベヘニルトリメチルアンモニウム            １．５重量部
グリセリン                                    ４．０重量部
水                                          ８８．０重量部
【００５９】
＜手洗い時の使用感＞
男女各１０人のパネラーが、十分に３０℃の水で濡らした手に、実施例１〜１６、比較例１〜１０の各洗浄剤組成物３ｇを採り、手を洗って、３０℃の水ですすぎ、乾いた木綿製タオルで水分を拭き取った。その際の洗浄時の泡立ち（泡量、泡立ちスピード）、すすぎ時の使用感（さっぱり感）、乾燥後の仕上がり（皮膚のうるおい）の項目を評価した。
また、同様の操作を１日に１回、７日間連続で行った後の皮膚の感触（連用後の皮膚のうるおい）を評価した。
パネラーが実際に使用した際の官能評価結果を点数で表し、その平均点で評価した。
【００６０】
採点基準及び評価基準は実施例１〜１６及び比較例１〜１０のシャンプー時の泡質及び使用感の採点基準及び評価基準と同じ。
＜耐硬水性＞実施例１〜１６、比較例１〜１０の各洗浄剤組成物５ｇをイオン交換水で１００倍希釈した水溶液１０ｍＬに、２５℃で、撹拌下に０．１ｍｏｌ／Ｌの塩化カルシウム水溶液を滴下し、濁り始めた時点の滴定量を耐硬水性とした。滴定量が多いほど、耐硬水性が良好なことを意味する。
（採点基準）
○：２００ｍＬ以上
△：５ｍＬ以上２００ｍＬ未満
×：５ｍＬ未満
【００６１】
表１及び表３中の各成分の略号は以下の通りである。
（Ａ−１）：オクチルグリセリルエーテルスルホン酸ナトリウム
（Ａ−２）：デシルグリセリルエーテルスルホン酸ナトリウム
（Ａ−３）：ドデシルグリセリルエーテルスルホン酸ナトリウム
（Ａ−４）：オクタデシルグリセリルエーテルスルホン酸ナトリウム
（Ａ−５）：ポリオキシエチレン（２モル付加）デシルグリセリルエーテルスルホン酸ナトリウム
（Ａ−６）：ポリオキシエチレン（３モル付加）ドデシルグリセリルエーテルスルホン酸ナトリウム
（Ａ’−１）：ブチルグリセリルエーテルスルホン酸ナトリウム
（Ａ’−２）：テトラコシルグリセリルエーテルスルホン酸ナトリウム
（Ｂ−１）：１−ドデカノール
（Ｂ−２）：１−オクタデカノール
（Ｂ−３）：１−ドコサノール
（Ｂ−４）：ポリオキシエチレン（２モル付加）ドデカノール 
（Ｂ−５）：ポリオキシエチレン（５モル付加）ドデカノール
（Ｂ−６）：ポリオキシエチレン（１０モル付加）ヘキサドデカノール
（Ｂ−７）：ポリオキシエチレン（３モル付加）ポリオキシプロピレン（１）ドデカノール
（Ｃ−１）：オクチルグリセリルエーテル
（Ｃ−２）：デシルグリセリルエーテル
（Ｃ−３）：ドデシルグリセリルエーテル
（Ｃ−４）：オクタデシルグリセリルエーテル
（Ｃ−５）：ポリオキシエチレン（２モル付加）デシルグリセリルエーテル
（Ｃ−６）：ポリオキシエチレン（３モル付加）ドデシルグリセリルエーテル
（Ｄ−１）：ヤシ油脂肪酸アミドプロピルジメチルアミノベタイン
（Ｄ−２−１）：ポリオキシエチレン（２モル付加）ドデシル硫酸ナトリウム
（Ｄ−２−２）：ラウリン酸カリウム
（Ｄ−３）：ヤシ油脂肪酸ジエタノールアミド
（Ｄ−４）：グリセリン
（Ｄ−５）：カチオン化セルロース
【００６２】
【表１】
2017186491.tif 000003
【００６３】
【表２】
2017186491.tif 000004
【００６４】
【表３】
2017186491.tif 000005
【００６５】
【表４】
2017186491.tif 000006
【００６６】
表２及び表４で明らかなように本発明の洗浄剤組成物（実施例１〜１６）は、起泡性（泡量）、シャンプーとして使用した場合の泡質（泡の感触、泡のきめ細かさ）、洗浄時及びすすぎ時の使用感（毛髪への指通り、手や頭皮に対するしっとり感）、乾燥後の仕上がり（毛髪のまとまり）、連用後の毛髪のまとまり、パサつきの少なさ、手洗い用洗浄剤として使用したときの洗浄時の泡立ち（泡量、泡立ちスピード）、すすぎ時の使用感（さっぱり感）、乾燥後の仕上がり（皮膚のうるおい）、連用後の皮膚のうるおい及び耐硬水性に優れる。これに対し、比較例１〜１０は性能項目を十分満足するものではない。
【産業上の利用可能性】
【００６７】
本発明の洗浄剤組成物は、起泡性（泡量）、泡質（泡のきめ細かさ）、洗浄時及びすすぎ時の使用感（毛髪への指通り、皮膚に対するしっとり感）、連用後の毛髪や皮膚の感触、耐硬水性のすべてを兼ね備え、頭髪用洗浄剤または皮膚用洗浄剤として好適である。また、家庭用洗浄剤（衣料用洗剤、食器用洗剤など）および工業用洗浄剤（金属、精密部品等の洗浄剤など）として使用できる可能性がある。